(57)【特許請求の範囲】
【請求項１】
予めフイルムを内蔵し、撮影レンズやファインダ等の撮影機構が組み込まれたユニット本体と、撮影レンズとフイルム露光面との間に配置され、撮影光軸をＺ字型にして略１００ｍｍ以上の焦点距離を構成する２枚の反射ミラーとを備え、かつストロボを有しないレンズ付きフイルムユニットにおいて、
前記２枚の反射ミラーをそれぞれ保持するとともに、少なくとも一方が台形形状とされた二つの開口枠と、
前記ファインダの上方にスライド自在に組み込まれ、一体に設けられた操作摘みがユニット本体上部から露呈された操作板と、
この操作板の下面に形成された保持枠と、
この保持枠に組み付けられ、操作板のスライドによって接眼側レンズに近接する位置でファインダの光路内に挿脱される半透明のフィルタと、
小径の絞り開口が形成され、撮影レンズを保持する鏡胴内に挿脱される絞り切替えレバーと、
前記操作板のスライドに連動して絞り切替えレバーを変位させ、小径の絞り開口を撮影光軸上に挿脱させる連動機構と、
フィルタがファインダ光路内に挿入される方向に前記操作板を付勢するバネとを備えたことを特徴とするレンズ付きフイルムユニット。
【請求項２】
前記連動機構は、操作板に対し、スライド方向において遊びを有した状態で係合する一端と、絞り切替えレバーと係合する他端とを備えた連動板からなり、この連動板は、操作板のスライドに連動して操作板よりも少ない量のスライドを行ない、絞り切替えレバーを変位させることを特徴とする請求項１記載のレンズ付きフイルムユニット。
【請求項３】
前記絞り切替えレバーは、小径の絞り開口が形成された一端が鏡胴に干渉しない位置で組み付けられ、組み付け後に回動されて鏡胴に形成されたスリット内に挿入されることを特徴とする請求項１又は２記載のレンズ付きフイルムユニット。
【請求項４】
前記台形形状の開口枠は、少なくとも２辺が突出した円弧形状であることを特徴とする請求項１ないし３いずれか記載のレンズ付きフイルムユニット。
【発明の詳細な説明】
【０００１】
【産業上の利用分野】
本発明はレンズ付きフイルムユニットに関し、詳しくは、露出切替え機構を備えたレンズ付きフイルムユニットに関するものである。
【０００２】
【従来の技術】
従来、カメラを携帯していない場合でも手軽に写真撮影が可能なレンズ付きフイルムユニット（商品名「写ルンですフラッシュ」等）が本出願人からも提供されている。このレンズ付きフイルムユニットは、撮影レンズ，シャッタを含む簡単な撮影機構の他、ストロボ装置及びフイルム巻上げ機構などを備えたユニット本体に、国際標準規格（ＩＳＯ  １００７−１９７９年版）で規定されたパトローネ付きフイルムを内蔵させたものである。これを購入したユーザーは、室内や暗い所でも手軽に写真撮影を楽しむことができ、しかも撮影終了後には、撮影済みの写真フイルムを取り出すことなく、そのままユニット本体ごと現像取扱店に出せばよく、フイルム巻き戻しやパトローネの取り出しなどの面倒な操作を行う必要はない。
【０００３】
上述したレンズ付きフイルムユニットのバリエーションの中には、実開平２−１０４３４０号公報で提案された望遠タイプのものや、実開平４−１３０９３１号公報で提案された露出切替え可能なものがある。
【０００４】
望遠タイプのレンズ付きフイルムユニットは、撮影レンズからフイルム露光面までの間に２枚の反射ミラーを配置し、撮影光路をＺ字型にして焦点距離を７０〜８０ｍｍに延ばしたものである。この望遠タイプのレンズ付きフイルムユニットは、比較的遠方の被写体を撮影するのに適している。しかしながら、遠方の被写体にはストロボ装置の光は届かないので、ストロボ装置は採用されていない。そのため、望遠タイプのレンズ付きフイルムユニットは、昼間の屋外でしか撮影を行うことができなかった。
【０００５】
露出切替えタイプのレンズ付きフイルムユニットは、撮影レンズの後方に２種類（大径，小径）の絞り開口が形成された回動部材を配置し、この回動部材を回動させて任意の絞り開口を撮影光軸上に配置することにより、露出が切り換えられるようになっている。また、この回動部材には周知のＮＤフィルタやカラーフィルタ等のフィルタが組付けられており、回動部材の回動に連動して、小絞り時にはフィルタがファインダの光路内に挿入され、絞り開放時にはファインダ光路外に退避されるようになっている。これにより、ファインダを覗いたときに露出状態が分かるようになっている。
【０００６】
【発明が解決しようとする課題】
ところで、最近、サッカーの人気が高く、例えばスタンドから競技場内のサッカー選手の姿を大きく写せるようなレンズ付きフイルムユニットが望まれている。これを解決するには、焦点距離が、例えば１００ｍｍ以上の撮影レンズを用いることが必要である。そこで、前述した望遠タイプのように、撮影レンズ以降の光路がＺ字型となるように２枚のミラーを配置し、撮影レンズだけを前方に突出させれば、それ程ユニット本体の厚みを厚くせずに済む。しかしながら、これらのスポーツは昼間のみでなくナイター競技として夜間にも頻繁に行われており、従来の望遠タイプのレンズ付きフイルムユニットでは、輝度が足りないため撮影できないという問題があった。
【０００７】
そこで、望遠タイプのレンズ付きフイルムユニットに露出切替え機構を組み込むことが考えられる。しかしながら、前述した露出切替え機構では、絞り開口が形成された回動部材の移動量が大きく、更に回動部材にはフィルタも組付けられているため、撮影レンズの直後に回動部材の回動スペースが必要となる。そのため、前述したように撮影レンズ部分だけを突出させようとしても、その突出範囲はかなり広い範囲に及び、薄型化を阻害する一因となる。また、露出切替えを行う操作摘みは回動部材と一体化されているため、操作摘みの移動量も大きく、迅速な露出切替えが行えないという問題もある。
【０００８】
更に、従来の望遠タイプのレンズ付きフイルムユニットでは、２枚の反射ミラーに被写体光を反射させて光路を長くしていたが、これら２枚の反射ミラーは実際に被写体光が反射される範囲よりも大きかったため、余分な光までもが反射されてフレアやゴーストの発生の原因となっていた。
【０００９】
また、写真に対する知識が乏しいユーザーが絞り切替え機構を組み込んだレンズ付きフイルムユニットを使用した場合には、ファインダ光路内にフィルタが存在する意図が理解できず、ファインダを見やすくするためにファインダ上にフィルタが存在しない絞り開放側にセットした状態で、全ての撮影を行ってしまうことが考えられる。このような状態で高輝度な被写体を撮影した場合には、露出オーバーの写真しか得られないという問題もある。
【００１０】
本発明は、上記問題点に鑑みてなされたもので、遠方の被写体を低輝度状態下でも撮影することができるとともに、そのための操作が迅速に行え、薄型化の向上と、フレアやゴーストの発生及び露出切替えの切換え忘れ等を防止したレンズ付きフイルムユニットを提供することを目的とする。
【００１１】
【課題を解決するための手段】
上記問題点を解決するために、請求項１記載のレンズ付きフイルムユニットは、ストロボを有しておらず、かつ予めフイルムを内蔵し、撮影レンズやファインダ等の撮影機構が組み込まれたユニット本体と、撮影レンズとフイルム露光面との間に配置され、撮影光軸をＺ字型にして略１００ｍｍ以上の焦点距離を構成する２枚の反射ミラーと、反射ミラーをそれぞれ保持するとともに、少なくとも一方が台形形状とされた二つの開口枠と、前記ファインダの上方にスライド自在に組み込まれ、一体に設けられた操作摘みがユニット本体上部から露呈された操作板と、この操作板の下面に形成された保持枠と、この保持枠に組み付けられ、操作板のスライドによって接眼側レンズに近接する位置でファインダの光路内に挿脱される半透明のフィルタと、小径の絞り開口が形成され、撮影レンズを保持する鏡胴内に挿脱される絞り切替えレバーと、前記操作板のスライドに連動して絞り切替えレバーを変位させ、小径の絞り開口を撮影光軸上に挿脱させる連動機構と、フィルタがファインダ光路内に挿入される方向に前記操作板を付勢するバネとを備えたものである。
【００１２】
また、請求項２記載の発明は、連動機構として、操作板に対し、スライド方向において遊びを有した状態で係合する一端と、絞り切替えレバーと係合する他端とを備えた連動板を使用し、操作板のスライドに連動して該操作板よりも少ない量のスライドを連動板に行なわせ、これにより絞り切替えレバーを変位させるようにしたものである。
【００１３】
また、請求項３記載の発明は、絞り切替えレバーの小径の絞り開口が形成された一端を鏡胴に干渉しない位置で組み付け、組み付け後に回動して鏡胴に形成されたスリット内に挿入するようにしたものである。
【００１４】
また、請求項４記載の発明は、反射ミラーの台形形状の開口枠の少なくとも２辺を突出した円弧形状にしたものである。
【００１５】
更に、請求項５記載の発明は、２枚の反射ミラーをそれぞれ反射面を露呈する開口枠により保持し、これらの開口枠のうち少なくとも一方の開口枠を台形形状としたものである。
【００１６】
また、請求項６記載の発明は、台形形状の開口枠の少なくとも２辺を突出した円弧形状としたものである。
【００１７】
更に、請求項７記載の発明は、フィルタをファインダ光路内に挿入する方向に操作板をバネ付勢するようにしたものである。
【００１８】
【作用】
ファインダを覗いて被写体を確認する。この時、ファインダの光路内にあるフィルタで被写体が確認しにくい場合には、ユニット本体上部に露呈された操作摘みを絞り開放方向へスライド操作する。これにより操作摘みと一体に形成された操作板がスライドし、操作板の下面に組付けられたフィルタがファインダ光路内から退避される。なお、フィルタはファインダの対物側レンズより小さい接眼側レンズの近傍に配置されているため、操作板のスライド量は少なくて済む。操作板に連動して、連動部材もスライドする。なお、この連動部材のスライド量は操作板より少ないので、ユニット本体内での連動部材のための移動スペースが僅かで済む。絞り切替えレバーは、連動部材により回動されて、撮影レンズを保持する鏡胴のスリット内を移動して撮影光軸上から退避され、絞りを開放する。
【００１９】
また、操作板がフィルタをファインダの光路内に挿入する方向にバネ付勢されている場合には、常にファインダを覗くとフィルタが存在しているため、写真の知識を有しないユーザーでも小絞りの状態であることを認識できる。更に、２枚の反射ミラーを保持するそれぞれの枠の少なくとも一方の開口を台形形状とし、この台形形状の開口の少なくとも２辺を突出した円弧形状としたことによりフレアやゴーストを防止できる。また、絞り切替えレバーは、絞り開口が形成された一端が鏡胴に干渉しない位置で組み付けられ、回動されて鏡胴のスリット内に挿入されるので組み立てが容易となる。
【００２０】
【実施例】
本発明のレンズ付きフイルムユニットの外観を示す図２において、レンズ付きフイルムユニット２は、ユニット本体３と、これを収納した外ケース４とからなる。外ケース４には、綺麗なカラー印刷が施され、また撮影時の注意事項等が印刷されている。
【００２１】
ユニット本体３には、外ケース４の開口から露呈している撮影レンズ６、ファインダ対物窓７、シャッタボタン８、フイルム残数表示窓９、巻き上げノブ１０、及び操作摘みである撮影モード切替え摘み１１とが設けられている。撮影レンズ６は、２個のプラスチックレンズで構成されており、焦点距離が、例えば１００ｍｍである。ファインダは、２個のファインダレンズによって構成されたガリレオタイプのファインダであり、これらのファインダレンズの間にフィルタが出入り自在に配置されている。
【００２２】
撮影モード切替え摘み１１は、日中撮影モードと夜景撮影モードとのいずれか１つを選択するためのものであり、図中に示す位置で日中撮影モードが選択され、これからスロット１３の左端にスライド操作した場合には夜景撮影モードが選択される。日中撮影モードの際には、フィルタがファインダ内に入り込み、また撮影レンズ６の光軸上に小口径の絞り開口が位置する。さらに夜景撮影モードの際には、ファインダ内からフィルタが退避し、このフィルタの退避移動に連動して撮影レンズ６の光軸上に大口径の絞り開口が位置する。
【００２３】
ユニット本体３は、図３に示すように本体基部１５，後カバー１６，露光ユニット１７，及び前カバー１８とからなる。本体基部１５には、国際標準規格（ＩＳＯ：１００７−１９７９年版）で規定された１３５タイプの写真フイルムパトローネ１９が装填される。この写真フイルムパトローネ１９には、例えばＩＳＯ８００の高感度写真フイルム１９ａが用いられている。
【００２４】
本体基部１５の前面には、露光ユニット１７が着脱自在に取り付けられる。露光ユニット１７は、撮影レンズ６を備えた露光付与機構，フイルムカウンタ機構，絞り切替え機構，フィルタ出入り機構，及びフイルム巻き止め機構等が組み込まれており、これらは一体化されている。後カバー１８は、本体基部１５の背後に着脱自在に取り付けられ、本体基部１５との間で写真フイルム１９ａを光密に収納する。前カバー１６は、本体基部１５の前面に着脱自在に取り付けられる。
【００２５】
写真フイルムパトローネ１９は、写真フイルム１９ａと、この写真フイルム１９ａを光密に収納するパトローネ１９ｂとからなる。このパトローネ１９ｂは、写真フイルム１９ａの末端が固定されたスプール１９ｃを備え、スプール１９ｃが回転されたときに、その外周に露光済みの写真フイルム１９ａを巻き取る。
【００２６】
本体基部１５には、パトローネ１９ｂを収納するためのパトローネ収納室２１と、パトローネ１９ｂから引き出されて巻かれた未露光の写真フイルムロール１９ｄを収納するためのフイルム収納室２２とが一体成形されている。これらの底は開口となっており、後カバー１８に設けたプルトップ式の底蓋２３，２４によってそれぞれ塞がれる。底蓋２４は写真フイルム１９ａをロール状に巻き取るための治具等を挿入するための蓋であり、また、底蓋２３は全コマ撮影終了後に撮影済みの写真フイルム１９ａが収納されたパトローネ１９ｂを取り出す時の蓋となる。
【００２７】
巻き上げノブ１０は、パトローネ収納室２１の上面に回動自在に配置され、外部から操作が可能なように一部が後カバー１８の開口２６から露呈している。そして、パトローネ１９ｂが装填された際には巻き上げノブ１０の軸がパトローネ１９ｂのスプール１９ｃに係合する。
【００２８】
パトローネ収納室２１とフイルム収納室２２との間には、露光枠２８が位置しており、これには、２４×３６ｍｍのサイズの露光開口２９が形成されている。この露光開口２９には、露光ユニット１７の撮影レンズ６を透過した被写体光が導かれる。後カバー１８には、露光開口２９に対向する位置に緩やかに湾曲されたフイルム支持面３０と、右上端にはファインダ接眼窓３１とが一体に設けられている。また前カバー１６には、右上端に設けたファインダ対物窓７の他に、上面にスロット１３とシャッタボタン８とが一体に設けられている。
【００２９】
露光ユニット１７には、暗箱３３にシャッタ機構，フイルム巻き上げ機構，フイルムカウンタ機構，レンズユニット，絞り切替え機構，及びフィルタ出入り機構とが組み込まれている。
【００３０】
暗箱３３は、詳しくは図１及び図４に示すように、撮影レンズ６の光軸３５をＺ字形にするために、正面上方に設けた正面上開口枠３６、背面上方に設けた背面上開口枠３７、正面下方に設けた正面下開口枠３８、及び背面下方に設けた背面下開口枠３９とがそれぞれ一体に形成された形状となっている。正面上開口枠３６の前面には、カバー板４０を介してシャッタユニット４１，絞り切替えレバー４２及びレンズユニット４３とレンズカバー４４とが順に組み込まれる。
【００３１】
背面上開口枠３７には増反射ミラー４６が取付けられ、さらに正面下開口枠３８には増反射ミラー４７が取り付けられる。撮影レンズ６は、ファインダ対物窓７とほぼ同じ高さに配置されている。そして、撮影レンズ６の光軸３５は、増反射ミラー４６及び増反射ミラー４７とによりＺ字形に折り曲げられた後、露光開口２９の背後に位置決めされた写真フイルム１９ａに達する。撮影レンズ６を通った被写体光束は、広がりながら写真フイルム１９ａに達するから、増反射ミラー４６は増反射ミラー４７よりも小サイズでよい。また、これらのミラー４６，４７を同じ傾斜角で傾けることによって、撮影レンズ６に水平に入射した光軸３５を写真フイルム１９ａに水平に入射させることができる。
【００３２】
なお、増反射ミラー４６，４７は、ガラス基板の上にアルミニウム層、酸化セリウム層、及び、酸化チタン層を順に層設し、７００ｎｍでの反射率が８５％以上とした反射ミラーである。また、正面上開口枠３６と増反射ミラー４６との間には、有効画角外からの斜入光をカットするための遮光板４９が取り付けられている。さらに、正面上開口枠３６と背面上開口枠３７との上面は開口５０となっている。
【００３３】
ところで、増反射ミラー４６及び増反射ミラー４７は光軸３５に対して傾斜されているため、レンズユニット４３を通過して広がりながら進む被写体光は、各部分によって増反射ミラー４６までの距離が異なることになる。レンズユニット４３から増反射ミラー４６までの光路の概略を側面側から見た図５において、光軸３５に対して上方に広がった被写体光が増反射ミラー４６により反射される反射点はＰ１，Ｐ２となり、その距離はＬ１となる。同様に、光軸３５に対して下方に広がった被写体光が増反射ミラー４６に反射される反射点はＰ３，Ｐ４となり、その距離はＬ２となる。この状態を上方から見た図６に示すように、広がりが少ないうちに増反射ミラー４６に反射される上方の被写体光は反射点がＰ１，Ｐ２の位置となり、下方に広がった被写体光の反射点Ｐ３，Ｐ４に比べて幅が狭くなることが分かる。
【００３４】
このように、レンズユニット４３を通過した被写体光は、実際には、増反射ミラー４６にＰ１〜Ｐ４を結ぶ台形形状の投影がなされ、この台形形状のまま次の増反射ミラー４７に反射されている。従来の望遠タイプのレンズ付きフイルムユニットでは、２枚の増反射ミラーともに長方形のものを用いていたため、台形形状以外の部分に余計な光が反射してしまい、これがフレアやゴーストの発生原因となっていた。
【００３５】
そこで本発明では、図４のＡ矢視図である図７に示すように、正面下開口枠３８を台形形状とした。これにより、増反射ミラー４７の露呈される形状も台形となるので、余分な光が反射されることを防止することができる。また、増反射ミラー４７に反射された被写体光は、後カバー１８のフイルム支持面３０に支持された写真フイルム１９ａに達するが、フイルム支持面３０の湾曲により写真フイルム１９ａも湾曲されているため、増反射ミラー４７から写真フイルム１９ａまでの距離が、光軸３５に対して同じように上方に広がった被写体光でも異なるようになり、実際に反射ミラー３７により反射する必要のある範囲が狭くなる。
【００３６】
そこで、図８に示すように正面下開口枠３８の上下辺３８ａ，３８ｂを突出させた円弧形状にすると、より余分な光が反射するのを防止することができるようになる。また、図９に示すように、正面下開口枠３８の上下左右の辺３８ａ，３８ｂ，３８ｃ，３８ｄを突出した円弧形状としてもよい。なお、この開口枠の台形化及び辺の円弧形状化は、反射ミラー４６を保持する背面上開口枠３７あるいは正面下開口枠３８の何れか一方もしくは、両方に行ってもよい。また、辺の円弧形状化は、上下あるいは左右の対向する辺同士に行うとよい。
【００３７】
図１に示すように、暗箱３３の右上には、対物レンズ５２と接眼レンズ５３とを所定間隔で保持する保持枠５４が一体に形成されている。この保持枠５４の上面も開口５５となっている。これらの開口５０，５５の上には、暗箱３３内部を光密に塞ぎ、且つファインダレンズ５２，５３を押さえるための天板５６が着脱自在に取り付けられる。この天板５６には、増反射ミラー４６の非ミラー面４６ａを覆う保護板５７が一体に形成されている。この保護板５７によって増反射ミラー４６が暗箱３３に保持される。
【００３８】
ファインダレンズ５２，５３は、露光ユニット１７が本体基部１５に取り付けられた際に、ファインダ対物窓７とファインダ接眼窓３１との間に配置され、対物レンズ５２を凸，接眼レンズ５３を凹の構成として、写真フイルム１９ａに写る範囲と同じ、又はこれよりも８０％程度の小さめの視野範囲としている。
【００３９】
図１及び図１０，１１に示すように、天板５６の上には、光軸３５に対して直交する方向に移動自在な操作板である撮影モード切替えレバー５８が取り付けられている。この撮影モード切替えレバー５８には、上面に撮影モード切替え摘み１１が一体に形成されている。また、下面には天板５６に形成されたスリット５６ａに挿入され、フィルタ５９が保持される保持枠５８ａが一体に形成されており、これらでフィルタ出入り機構を構成している。
【００４０】
フィルタ５９は、撮影モード切替え摘み１１を日中撮影モードの位置に操作した際に、ファインダレンズ５２，５３の間に挿入され、また、夜景撮影モードの位置に操作した際に、ファインダレンズ５２，５３の間から退避する。この撮影モード切替えレバー５８は、一端が撮影モード切替えレバー５８に形成された係合部５８ｂに係合し、他端が天板５６に形成された穴５６ｂに挿入されるトグルバネ６１により、日中撮影モード又は夜景撮影モードとのいずれかの位置に向けて付勢されている。なお、天板５６の上面には、撮影モード切替えレバー５８とトグルバネ６１の摺動面となるレール５６ｃ，５６ｄ，５６ｅが形成されている。
【００４１】
フィルタ５９は、周知のように減光フィルタであり、ファインダ対物窓７からファインダ接眼窓３０に入射してくる被写体光を減光し、減光された被写体光を撮影者が見ることが可能な場合には、撮影者にそのままシャッタレリーズが可能であることを把握させる。また、減光された被写体光を撮影者が見ることができない場合には、撮影者に夜景撮影モードに切替えることを把握させる。なお、撮影モード切替えレバー５８とフィルタ５９とを同じ半透明なプラスチックで成形して一体化してもよい。また、撮影モード切替えレバー５８の原材料となるプラスチックにシリコンを混入して成形すると、天板５６に対する摩擦が低くなり操作性が向上する。
【００４２】
フィルタ出入り機構には、絞り切替え機構が連動している。絞り切替え機構は、連動部材である連動板６３及び絞り切替えレバー４２とから構成されている。連動板６３は、天板５６の上面に光軸３５に対して直交する方向に向けて移動自在に取り付けられており、撮影モード切替えレバー５８の移動量よりも絞り切替えレバー４２の移動量を少なくするために、一端６３ａが遊びを持った状態で撮影モード切替えレバー５８の突出片５８ｃに連結されている。また、連動板６３には、長穴６３ｂが形成されており、この長穴６５ｂには天板５６上に形成されたピン５６ｆが挿入される。これにより、連動板６３をガイドするとともにスライド量を規制している。なお、連動板６３の一端６３ａの前面側は、前カバー１６の内壁に当接して摺動するので、連動板６３がピン５６ｆを中心に回動して突出片５８ｃとの連結が外れることはない。
【００４３】
また、連動板６３の他端６３ｃは、絞り切替えレバー４２に形成された第１ピン４２ａに係合している。絞り切替えレバー４２には、第１ピン４２ａの他にこれと平行な第２ピン４２ｂが形成されている。第２ピン４２ｂは、シャッタユニット４１を構成するシャッタカバー６５に形成された穴６５ａに挿入されて絞り切替えレバー４２を回動自在とし、第１ピン４２ａは円弧状の長穴６５ｂを貫通して連動板６３の他端６３ｃと係合する。絞り切替えレバー４２の第２ピン４２ｂを挟んだ他端には、小口径、例えば直径２〜３ｍｍの絞り開口４２ｃが形成されている。この小口径の絞り開口４２ｃは、撮影モード切替え摘み１１が日中撮影モードの位置の際に光軸３５の上のシャッタユニット４１とレンズユニット４３との間に挿入され、また夜景撮影モードの位置の際に光軸３５の上から退避される。
【００４４】
暗箱３３の左上には、周知のシャッタ機構、フイルム巻き上げ機構、及び、フイルムカウンタ機構を構成する従動スプロケット６７，カム部材６８，係止レバー６９，バネ７０，蹴飛ばしレバー７１，枚数表示板７２が取り付けられており、蹴飛ばしレバー７１の蹴飛ばし力が回動レバー７３，シャッタ駆動レバー７４，及びシャッタユニット４１に順に伝達される。
【００４５】
カム部材６８の軸には従動スプロケット６７が係合しており、従動スプロケット６７は写真フイルム１９ａのパーフォレーションに係合するので、これらはフイルム１コマ送りに従動して１回転する。カム部材６８の回転によって蹴飛ばしレバー７１が軸７５を中心に時計方向に回動するとともに、係止レバー６９が軸７６を中心として反時計方向に回転する。そして、カム部材６８が一回転すると、係止レバー６９がカム部材６８の回転をロックしてフイルム巻き止めを行うとともに、蹴飛ばしレバー７１をチャージ位置に保持する。バネ７０は、捩じりバネとなっており、係止レバー６９を時計方向に、また蹴飛ばしレバー７１を反時計方向に向けてそれぞれ付勢している。カム部材６８が一回転した際には、枚数表示板７２が１目盛分だけ回転する。
【００４６】
シャッタボタン８の押下によって係止レバー６９が反時計方向に押圧される。これによりフイルム巻き止めが解除されるとともに、蹴飛ばしレバー７１がバネ７０の付勢によってチャージ位置から初期位置に向けて回転する。この蹴飛ばしレバー７１には、蹴飛ばしアーム７１ａが一体に形成されている。蹴飛ばしアーム７１ａの移動路には、回動レバー７３の爪部７３ａが待機している。
【００４７】
回動レバー７３は、光軸３５と平行に設けられた軸７７に回動自在に取り付けられており、詳しくは図１２に示すように、軸７７の上方に設けられた爪部７３ａの他に、前方に向けて突出した連結ピン７３ｂが一体に形成されている。この連結ピン７３ｂは、シャッタ駆動レバー７４に連結され、回動レバー７３の回転力をシャッタ駆動レバー７４に伝達する。
【００４８】
バネ７８は、一端が回動レバー７３に形成されたピン７３ｃに、他端が暗箱３３に一体に形成されたピン７９にそれぞれ引っかけられ、回動レバー７３を反時計方向に付勢している。そして、暗箱３３には、回動レバー７３に当接し、バネ７８の付勢に抗して回動レバー７３の回動を阻止するストッパー８０が一体に形成されている。
【００４９】
爪部７３ａが蹴飛ばしアーム７１ａで蹴飛ばされることにより、回動レバー７３は軸７７を中心として時計方向に回動してシャッタ駆動レバー７４を回転させる。そして、蹴飛ばしレバー７１が初期位置に回転した後には、蹴飛ばしアーム７１ａが爪部７３ａを乗り越え、バネ７８の付勢により回動レバー７３が初期位置に引き戻され、ストッパー８０に当接する。
【００５０】
シャッタ駆動レバー７４は、光軸３５と平行な軸８１を中心として回動自在に取り付けられており、軸８１に嵌め込まれる軸受部７４ａを挟んだ両端側に、レバー７４ｂ，７４ｃがそれぞれ一体に形成されている。レバー７４ｂには、前方に向けて突出した連結ピン７４ｄが一体に形成され、またレバー７４ｃには、カム孔７４ｅが形成されている。連結ピン７４ｄは、シャッタユニット４１のシャッタ羽根８２，８３に係合される。カム孔７４ｅには、前記連結ピン７３ｂが嵌入される。なお、軸７７，８１は、暗箱３３に一体に形成されている。
【００５１】
このシャッタ駆動レバー７４は、前方に突出した撮影レンズ６の直後で開閉するシャッタ羽根８２，８３に、これから光軸３５に沿って凹んだ位置に配置された回動レバー７３の回転力を伝達するために、シャッタ連結ピン７４ｄとカム孔７４ｅとが光軸３５に対して異なった面で揺動するように、断面がクランク状に形成されている。
【００５２】
シャッタユニット４１は、シャッタベース８４と、同形状をなす一対のシャッタ羽根８２，８３及びシャッタカバー６５とから構成されている。シャッタベース８４には、光軸３５の上に設けられたシャッタ開口８４ａと、増反射ミラー４７の非ミラー面４７ａを覆う保護板８４ｂとが一体に形成されている。また、シャッタカバー６５には、光軸３５の上に、絞り切替えレバー４２の絞り開口４２ｃよりも大きい口径、例えば直径約５〜６ｍｍの絞り開口６５ｃと、レンズユニット４３が挿入される鏡胴８５とが形成されている。
【００５３】
一対のシャッタ羽根８２，８３は、シャッタベース８４に形成された２つの軸８４ｃ，８４ｄを中心にそれぞれ回動自在に配置されており、これらの軸８４ｃ，８４ｄの間に形成された開口８４ｅを介して前記シャッタ連結ピン７４ｄが入り込む係合孔８２ａ，８３ａがそれぞれに設けられている。したがって、シャッタ駆動レバー７４が回動するとシャッタ連結ピン７４ｄによって一対のシャッタ羽根８２，８３が同時に開閉する。シャッタ羽根８２，８３の開閉は、図に示す開き位置と、シャッタ羽根８２，８３が重なってシャッタ開口８４ａを塞ぐ閉じ位置との間で行われる。この開閉は、２枚のシャッタ羽根８２，８３で行うようにしているため瞬時に行え、露光ムラの防止に寄与している。
【００５４】
なお、シャッタ駆動レバー７４のカム孔７４ｅには、シャッタ羽根８２，８３を駆動する直線部と、シャッタ羽根８２，８３を開き位置に保持する曲線部が設けられているので、２枚構成のシャッタ羽根でも安定したシャッタ速度を得ることができる。
【００５５】
図１３に示すように、レンズユニット４３は、レンズホルダ８７及び撮影レンズ６，押さえ環８８とから構成されており、これらは露光ユニット１７の前面に着脱自在に取り付けられる。撮影レンズ６は、後レンズ８９及び前レンズ９０と、これらの間に挿入されるスペーサ９１とから構成されており、従来の望遠タイプのレンズ付きフイルムユニットに用いられていた撮影レンズより大口径で明るいものとなっている。
【００５６】
撮影レンズ６は、円筒状のレンズホルダ８７に挿入され、最後に押さえ環８８が圧入される。押さえ環８８によって撮影レンズ６は、レンズホルダ８７内で前後に移動するのが防止される。
【００５７】
レンズホルダ８７は、シャッタユニット４１を構成しているシャッタカバー６５の前面側に形成された鏡胴８５内に挿入される。鏡胴８５の内壁には、光軸３５に沿って螺旋状とされたカム面８５ａが３個形成されている。また、レンズホルダ８７の外壁には、カム面８５ａと同方向の螺旋状とされた突条部９３が３個形成されている。図１４に示すように、突条部９３の背面側は平面とされており、カム面８５ａに対して当接するようになっている。また、突条部９３の前面側には階段状にされた歯列９４が形成されている。これにより、レンズホルダ８７を鏡胴８５内で回動すると、カム面８５ａと突条部９３との摺接により光軸３５の前後方向に移動することができる。
【００５８】
図１３に示すように、レンズホルダ８７が収納されたシャッタカバー６５には、内径が鏡胴８５の外径と同一とされたレンズカバー９６が取り付けられる。レンズカバー９６には左右に張り出した支持板９６ａが一体に形成されており、シャッタカバー６５に爪係合される。レンズカバー９６の前面側には、一端がレンズカバー９６に連なり、他端が自由にされ弾性を付与された係合片９７が３個形成されている。そして、レンズカバー９６をシャッタカバー６５に取り付けると、図１４に示すように、係合片９７の自由端側に形成された突起９７ａが、レンズホルダ８７突条部９３の歯列９４に噛合するようになっている。
【００５９】
歯列９４は、定ピッチで設けられており、そのピッチ角は４°（レンズホルダの外周の９０等分）とされている。また、カム面８５ａと突条部９３の傾斜は、係合片９７２と歯列９４０との係合が１段移動するごとに、レンズホルダ８７を前あるいは後ろに０．２ｍｍ移動させる傾斜となっている。このように、レンズホルダ８７の回転量と移動量とが対応しており、移動量は僅か０．２ｍｍ刻みで移動できるので、撮影レンズ６をピントのピーク位置に調整するのは非常に容易となっている。また、係合片９７と突条部９３とカム面８５ａとの位置関係は、レンズホルダ８７が回転されても変わらないので、係合片９７に余分な負荷をかけることがない。そのため、レンズホルダ８７を固定するためのバネを単独で設ける必要もないし、レンズカバー９６をリサイクル時に再使用することができる。
【００６０】
ピントの調整は、組立て後の露光ユニット１７に対して行われるが、その際には図１５に示すような治具９９が用いられる。治具９９は、先端部１００が三叉状にされており、この先端部１００をレンズカバー９６の前面側から挿入し、押さえ環８８に係合させて回動することによって行われる。
【００６１】
レンズホルダ８７は、図中で時計方向に回動されると、突条部９３の背面側がカム面８５ａに対して摺動し、歯列９４は係合片９７を撓ませてクリック音を発し、レンズホルダ８７は鏡胴８５から突出する方向に移動される。逆に、レンズホルダ８７が反時計方向に回動されると、レンズホルダ８７は鏡胴８５内に収納される方向に移動される。そして、レンズホルダ８７の回動後には、係合片９７は再び歯列９４と係合してレンズホルダ８７を固定する。係合片９７と歯列９４との係合が一段移動すると、レンズホルダ８７が前後に０．２ｍｍ移動するので、治具９９の回転角度によってレンズホルダ８７の移動量を容易に制御することができる。
【００６２】
また、図１４に示すように前カバー１６の内壁には、レンズカバー９６の係合片９７に対面する位置に突起１０２が形成されている。この突起１０２は、ピント調整が済んだ露光ユニット１７が本体基部１５に取付けられ、この本体基部１５に前カバー１６が取り付けられることにより係合片９７に当接して押圧するようになっている。これにより係合片９７が歯列９４に押し付けられるので、レンズ付きフイルムユニット２に落下等による衝撃が与えられてもレンズホルダ８７が不用意に回動してピントが狂うようなことはない。
【００６３】
絞り切替えレバー４２はシャッタカバー６５に取り付けられ、鏡胴８５内に挿入される。この取り付けは、図１６に示すように、絞り切替えレバー４２を鏡胴８５に干渉しない状態に傾けて、第１ピン４２ａと第２ピン４２ｂとを穴６５ａと長穴６５ｂとに挿入する。この挿入後に、絞り切替えレバー４２を図中時計方向に回動すると、絞り切替えレバー４２の絞り開口４２ｃが形成された一端が鏡胴８５に形成されたスリット８５ｂ（図１参照）内に挿入される。このように絞り切替えレバー４２を取り付けるために第１ピン４２ａの逃げ穴である長穴６５ａは、連動板６３により回動される範囲よりも長く作られている。
【００６４】
次に、上記実施例の作用について説明する。レンズ付きフイルムユニット２は、本体基部１５，前カバー１６，後カバー１８，露光ユニット１７を構成する各部品が製造されて組み立てられる。
【００６５】
露光ユニット１７の組み立てでは、絞り切替えレバー４２は図１６に示すように、鏡胴８５に干渉しない状態に傾けて、第１ピン４２ａと第２ピン４２ｂとを穴６５ａと長穴６５ｂとに挿入する。この挿入後に、絞り切替えレバー４２を図中時計方向に回動すると、絞り切替えレバー４２の絞り開口４２ｃが形成された一端が鏡胴８５に形成されたスリット８５ｂ（図１参照）内に挿入される。
【００６６】
また、露光ユニット１７の組み立てで比較的難しいのは、撮影モード切替えレバー５８の係合部５８ｂと、トグルバネ６１との係合である。これは、図１７に示すようにトグルバネ６１の径が細く、係合部５８ｂに形成されたスリット５８ｄがトグルバネ６１の径とほぼ同じ幅であるためである。この係合部５８ｂとトグルバネ６１との係合をより簡単に行うために、図１８に示すように係合部５８ｂに、撮影モード切替えレバー５８がスライドしてもトグルバネ６１が外れない程度の切欠５８ｅをスリット５８ｄに連なるように設けるとよい。これにより、トグルバネ６１と撮影モード切替えレバー５８との係合が容易に迅速に行うことができ、作業効率の向上によりコストダウンにも貢献することができる。
【００６７】
組み立てられた露光ユニット１７は、本体基部１５の前面側に爪係合される。本体基部１５に取り付けられた露光ユニット１７は、ピント検査が行われる。ピント検査は、前面側から撮影レンズ６に向かってレーザ光線が照射され、このレーザ光線が適正な位置で結像されるかを確認することによって行われる。
【００６８】
このピント検査で不合格となったものは、図１５に示すように治具９９が押さえ環８８に係合され、図１３に示すようにレンズホルダ８７が調節方向に回動される。例えば図中において、治具９９が時計方向に回動された場合、レンズホルダ８７は突条部９３の背面側がカム面８５ａに対して摺動し、レンズホルダ８７は鏡胴８５から突出する方向に移動される。このレンズホルダ８７の移動時には突条部９３の歯列９４により係合片９７が撓まされ、移動が終了すると再び歯列９４と係合片９７の突起９７ａ（図１４参照）とが係合される。
【００６９】
ピント調整が終了した露光ユニット１７は次工程に搬送され、本体基部１５の前面に前カバー１６が取り付けられてピント位置が固定される。その後、写真フイルムパトローネ１９が装填されてから後カバー１８が取り付けられてユニット本体３が完成する。ユニット本体３には、シャッタ速度検査，フイルム巻上げ・巻止め検査，撮影モード切替え検査等が行われる。
【００７０】
撮影モード切替え検査は、撮影モード着替え摘み１１をスライド操作して、フィルタ５９のファインダ光路内への挿脱と、絞り切替えレバー４２の回動との確認と、操作に必要な力量との検査が行われる。この検査は、作業員が指で撮影モード切替え摘み１１をスライドして行うこともできるが、自動検査機を用いて行うこともできる。しかしながら、図２に示すように、撮影モード切替え摘み１１は前カバー１６からの突出量が少なく、スロット１３との間の隙間も僅かしかないため、自動検査機のアームではスライドできない。
【００７１】
そのため、撮影モード切替え検査を自動検査機で行う場合には、図１９に示すように、撮影モード切替え摘み１０３の幅を狭くしてスロット１３との間に隙間が形成されるようにし、また、撮影モード切替えレバー５８からの突出量も若干高くすることにより、図２０に示すように前カバー１６からの突出量が増すので、自動検査機による検査に対応することができるようになる。
【００７２】
以上のように組み立てられたユニット本体３は、外側を外ケース４で覆われてレンズ付きフイルムユニット２となる。レンズ付きフイルムユニット２は、撮影モード切替え摘み１１が日中撮影モードにセットされた状態で防湿防温のガゼット袋に収納されている。購入後、ガゼット袋を破いて、レンズ付きフイルムユニット２を取り出す。この取り出したときには、外ケース４のスロット１３の両端の部分に、図２に示すように、太陽マーク４ａと月マーク４ｂとが施されているので、写真知識を有するユーザーでは日中撮影と夜景撮影とが随時切替えできるタイプであることが確実に理解できる。
【００７３】
日中撮影モードの状態では、図１０（Ａ）に示すように、撮影モード切替え摘み１１がスロット１３内で右方にあるため、撮影モード切替えレバー５８に形成された突出片５８ｃに、端部６３ａによって遊びをもって連結された連動板６３も右方に位置することとなる。このときには、図１１（Ａ）に示すように、光軸３５の上，大口径の絞り開口６５ｃの前方には、絞り切替えレバー４２に形成された小口径の絞り開口４２ｃが位置している。また、ファインダレンズ５２，５３の間には、撮影モード切替えレバー５８の保持枠５８ａに保持されたフィルタ５９が挿入された状態となっている。なお、撮影モード切替えレバー５８は、トグルバネ６１により日中撮影モード側に付勢されているため、多少の振動が与えられても不用意にスライドすることはない。
【００７４】
撮影を行う場合には、先ず、巻き上げノブ１０を回してフイルム巻き上げを行う。このフイルム巻き上げによって、写真フイルム１９ａがパトローネ１９ｂのスプール１９ｃに巻かれる。ここで、レンズ付きフイルムユニット２は、工場出荷時に蹴飛ばしレバー７１がチャージ位置の直前の状態になっているため、写真フイルム１９ａの僅かな部分がパトローネ１９ｂに巻き戻されると、従動スプロケット６７を介してカム部材６８が僅かに回転し、係止レバー６９によって蹴飛ばしレバー７１がチャージ位置で保持される。このとき、フイルム巻き止め機構が作動して従動スプロケット６７の回転が阻止される。
【００７５】
シャッタチャージ後、ユーザーはファインダ接眼窓３１から撮影すべきシーンを観察する。このとき、フィンダーレンズ５２，５３の間にフィルタ５９が挿入された状態となっている。そこで、このファインダを覗いたときに、フィルタ５９によって減光された被写体光を観察することになるので違和感を持つ。この時点で外ケース４の印刷を読むことによって、このレンズ付きフイルムユニット２が、日中撮影／夜景撮影の両方ができるタイプであることに気がつく。したがって、初心者であっても、日中撮影もしくは夜景撮影を適宜選択して、撮影を行うことが可能となる。
【００７６】
ファインダ接眼窓３１を覗いてフレーミングを行う。図２１（Ａ）に示すように被写体が高輝度な場合には、フィルタ５９を通して被写体を見ても容易にフレーミングができる。ファインダレンズ５２，５３の光軸は、撮影レンズ６の光軸３５と平行で、しかもほぼ同じ高さ位置で接近した位置にあるため、近距離にある被写体に対してもパララックスがほとんど生じることがない。
【００７７】
シャッタボタン８を押下すると、図１に示す係止レバー６９が反時計方向に押圧される。これにより、蹴飛ばしレバー７１がバネ７０の付勢によって軸７５を中心に反時計方向に回転するとともに、フイルム巻き止め機構のロックが解除される。
【００７８】
蹴飛ばしレバー７１がチャージ位置から初期位置に向けて回転すると、蹴飛ばしアーム７１ａが回動レバー７３の爪部７３ａを蹴飛ばし、回動レバー７３がバネ７８の付勢に抗して軸７７を中心に時計方向に回転する。これにより連結ピン７３ｂは、カム孔７４ｅ内を移動しながらシャッタ駆動レバー７４を軸８１を中心に反時計方向に回転させる。このシャッタ駆動レバー７４の回転により、シャッタ羽根８３が軸８４ｄを中心に反時計方向に回転され、またこれと同時にシャッタ羽根８２が軸８４ｃを中心として時計方向に回転する。そして、図１２に示すように、シャッタ羽根８２，８３が開き位置の状態となる。
【００７９】
蹴飛ばしアーム７１ａが爪部７３ａを乗り越えた時点で回動レバー７３がバネ７８の付勢によって初期位置に引き戻され、シャッタ駆動レバー７４は軸８１を中心に時計方向に回転され、シャッタ羽根８２，８３が閉じ位置に向けて回転する。そして、回動レバー７３が初期位置に戻った時点で、シャッタ羽根８２，８３が閉じ位置の状態となる。このとき、回動レバー７３がストッパー８０に当接し、回動が阻止される。
【００８０】
シャッタ羽根８２，８３が開閉中には、撮影レンズ６を透過した被写体光が小口径の絞り開口４２ｃを通過してシャッタ開口８４ａから入射する。この被写体光は、遮光板４９を通って増反射ミラー４６で増反射ミラー４７に向けて反射され、さらに増反射ミラー４７で背面下開口枠３９に向けて反射されて露光開口２９に導かれ、写真フイルム１９ａに照射される。写真フイルム１９ａへの露光は、絞り開口４２ｃが小口径となっているから、高輝度被写体に適した露出で行われる。
【００８１】
また、増反射ミラー４７を保持する正面下開口枠３８は、図７に示すような台形形状あるいは、図８に示すような台形形状で上下辺３８ａ，３８ｂが突出した円弧形状もしくは、図９に示すように台形形状で上下左右辺３８ａ〜３８ｄが突出した円弧形状とされているので、余分な光が写真フイルム１９ａに反射されることはなく、フレアやゴーストの発生が防止される。
【００８２】
図２１（Ｂ）に示すように、ファインダ接眼窓３１を覗いたときに、フィルタ５９によって減光された被写体光を観察することができない場合や見えにくい場合には、撮影モード切替え摘み１１を夜景撮影モードの位置に切替える。図１０（Ｂ）に示すように、撮影モード切替え摘み１１を図中左方にスライドすると、突出片５８ｃと端部６３ａとで遊びをもって連結された連動板６３は、長孔６３ｂとピン５６ｆ及び、連動板６３の前面側と前カバー１６の内壁とによってガイドされ、撮影モード切替えレバー５８よりも少ない量のスライドが行われる。
【００８３】
図１１（Ｂ）に示すように、撮影モード切替えレバー５８がスライドされると、ファインダレンズ５２，５３の間からフィルタ５９が退避される。同様に、連動板６３がスライドされると、端部６３ｃにより第１ピン４２ａが連結された絞り切替えレバー４２は、第２ピン４２ｂをを中心に反時計方向に回動され、小口径の絞り開口４２ｃが光軸３５の上，大口径の絞り開口６５ｃの前方から退避される。
【００８４】
フィルタ５９が退避すると、ファインダに入射する被写体光をそのまま観察することができるので、フレーミングを行ってからシャッタボタン８を押下する。これにより、前述したと同じにシャッタ羽根８２，８３が開閉し、撮影レンズ６を通過した被写体光が大口径の絞り開口６５ｃを通過して、写真フイルム１９ａに入射する。この露光は、絞り開口６５ｃが大口径となっているから、低輝度被写体に適した露出で行われる。
【００８５】
以下、フイルム巻き上げの前又は後に、撮影モード切替え摘み１１を操作して日中撮影と夜景撮影とのいずれか一方を選択しながら撮影を行う。そして、全てのコマの撮影が終了した後に、レンズ付きフイルムユニット２は、写真フイルムパトローネ１９を入れたままの状態で現像所に提出される。現像所では、レンズ付きフイルムユニット２から、写真フイルムパトローネ１９を取り出し、パトローネ１９ｂから写真フイルム１９ａを引き出して周知の現像及びプリント処理を行う。そして、ユーザーにプリント写真と現像済みの写真フイルム１９ａとを返却する。空となったレンズ付きフイルムユニット２は、ユーザーに返却されることなく、工場に回収されてリサイクルされる。
【００８６】
なお、上記実施例では撮影モード切替えレバーのスライドにより連動板を少ない量でスライドし、この連動板のスライドにより絞り切替えレバーを回動させて露出切替えとフィルタの挿脱とを行ったが、図２２及び図２３に示すように撮影モード切替えレバーと連動板とを一体に形成してもよい。これによれば、同図（Ａ）に示すように、撮影モード切替えレバー１０５が日中撮影モードである右方にあるときには、撮影モード切替えレバー１０５はトグルバネ１０６によって右方に付勢されている。そして、一体に形成された係合部１０７の一端１０７ａが、絞り切替えレバー１０８の第１ピン１０８ａに当接している。
【００８７】
図２３（Ａ）に示すように、日中撮影モードでは、フィルタ１０９はファインダ対物レンズ１１０とファインダ接眼レンズ１１１との間に配置されている。また、絞り切替えレバー１０８の小口径の絞り開口１０８ｃは、撮影光軸上の大口径の絞り開口１１２の前方に位置し、上ストッパー１１３ａに当接する。
【００８８】
図２２（Ｂ）に示すように、撮影モード切替えレバー１０５が夜景撮影モードである左方にあるときには、係合部１０７の他端１０７ｂが絞り切替えレバー１０８の第１ピン１０８ａと当接している。そして、図２３（Ｂ）に示すように、フィルタ１０９はファインダの光軸から退避し、絞り切替えレバー１０８も撮影光軸上の大口径の絞り開口１１２の前方から退避して、下ストッパー１１３ｂに当接する。このように、絞り切替えレバー１０８は、日中撮影モードあるいは夜景撮影モードにあるときに、上下ストッパー１１３ａ，１１３ｂとトグルバネ１０６によって付勢された撮影モード切替えレバー１０５とによって、いずれの回動方向への回動も阻止されるので、絞り開口１０８ｃを確実に位置決めできる。
【００８９】
また、写真の知識が乏しいユーザーが本発明のレンズ付きフイルムユニットを使用した場合には、説明文等を読まずにファインダを見えにくくするフィルタを退避させた絞り開放状態のままで全ての撮影行ってしまい、露出オーバーの写真を数多く撮影してしまうことが考えられる。これを防止するためには、図２４（Ａ）に示すように、撮影モード切替えレバー１２０にピン１２１を形成し、天板１２２の上面に突起１２３を形成し、このピン１２１と突起１２３との間にコイルバネ１２４を掛ける。これにより、撮影モード切替えレバー１２０は、コイルバネ１２４によって図中右方に付勢され、常時フィルタがファインダの光路内に挿入されるようになる。
【００９０】
これによれば、写真知識の乏しいユーザーがファインダが見やすくするために、撮影モード切替えレバー摘み１２０を図２４（Ｂ）に示すように左方にスライドしても、指を放すとコイルバネ１２４の付勢によりフィルタがファインダ光路内に戻るので違和感を持つ。この時点で、外ケース４に印刷された説明文を読むことにより、撮影モード切替えレバー１２０及びファインダ光路内のフィルタの働きを知り、適宜露出を変更しながら撮影を行うことができる。
【００９１】
また、上記各実施例は、絞り切替えレバーを回動して鏡胴内に挿脱させるようにしたが、小径の絞り開校が形成された板をスライドさせて鏡胴内に挿脱するようにしてもよい。更に、本発明は、望遠タイプのレンズ付きフイルムユニットのみでなく、標準・パノラマ切替えタイプや接写タイプのレンズ付きフイルムユニットや、低価格なコンパクトカメラ等にも採用することもできる。
【００９２】
【発明の効果】
以上説明したように、本発明のレンズ付きフイルムユニットは、操作摘みの操作による絞り切替えレバーの変位に、大効率，省スペースな連動機構を採用し、絞り切替えレバーを撮影レンズを保持する鏡胴内に挿脱するようにしたことにより、長焦点化されたレンズ付きフイルムユニットの薄型化が可能となる。
【００９３】
また、ファインダ光路内に挿脱されるフィルタを対物レンズより小さな接眼レンズの近傍に設けたことにより、フィルタの移動量が僅かで済み、迅速な絞りの切替えを行うことができる。
【００９４】
更に、絞り切替えレバーの組み付けは、小径の絞り開口が形成された一端を鏡胴に干渉しない位置に傾け、組み付け後に回動して鏡胴に形成されたスリット内に挿入するようにしたので、容易，迅速に組み付けることができ、レンズ付きフイルムユニットの組み立て効率の向上によるコストダウンに貢献することができる。
【００９５】
また、２枚の反射ミラーをそれぞれ保持し、反射面を露呈する開口枠のうち、少なくとも一方の開口枠を台形形状としたことにより、余分な光の反射を防ぎフレアやゴーストの発生を防止することができる。そして、この台形形状の開口枠の少なくとも２辺を突出した円弧形状としたことにより、更に余分な光の反射防ぐことができる。
【００９６】
また、フィルタがファインダ光路内に挿入される方向に操作板をバネ付勢することにより、写真知識を有しないユーザーでも被写体の輝度により絞りの切替えを行いながら撮影することが認識できるので、フィルタをファインダから退避させた状態での撮影による露出オーバーの写真撮影を防止することができる。
【図面の簡単な説明】
【図１】露光ユニットの構成を示す分解斜視図である。
【図２】本発明のレンズ付きフイルムユニットの外観を示す斜視図である。
【図３】ユニット本体の構成を示す分解斜視図である。
【図４】ユニット本体の要部断面図である。
【図５】レンズユニットから反射ミラーまでの撮影光束を側面側から見た概略図である。
【図６】レンズユニットから反射ミラーまでの撮影光束を平面側から見た概略図である。
【図７】反射ミラーを保持する開口枠の形状を示す矢視図である。
【図８】反射ミラーを保持する開口枠の別の例の形状を示す矢視図である。
【図９】反射ミラーを保持する開口枠の更に別の例の形状を示す矢視図である。
【図１０】絞り切替え機構を平面から見た動作説明図である。
【図１１】絞り切替え機構を正面から見た動作説明図である。
【図１２】シャッタユニットの構成を示す分解斜視図である。
【図１３】レンズユニットの構成を示す分解斜視図である。
【図１４】前カバーと係合片と突条部とカム面との位置関係を示す説明図である。
【図１５】ピント調整方法の説明図である。
【図１６】絞り切替えレバーの組み付け方法を示す説明図である。
【図１７】従来の撮影モード切替えレバーとトグルバネとの係合方法を示す説明図である。
【図１８】改良した撮影モード切替えレバーとトグルバネとの係合方法を示す説明図である。
【図１９】別の実施例の撮影モード切替えレバーを示す斜視図である。
【図２０】別の実施例の撮影モード切替えレバーを組み付けたユニット本体の斜視図である。
【図２１】フィルタの説明図である。
【図２２】本発明とは別の実施例の絞り切替え機構を平面から見た動作説明図である。
【図２３】本発明とは別の実施例の絞り切替え機構を正面から見た動作説明図である。
【図２４】本発明とは更に別の実施例の絞り切替え機構を平面から見た動作説明図である。
【符号の説明】
２  レンズ付きフイルムユニット
３  ユニット本体
１１，１０３  撮影モード切替え摘み
１７  露光ユニット
４２，１０８  絞り切替えレバー
４６，４７  増反射ミラー
３７，３８  開口枠
５６  天板
５８，１０５，１２０  撮影モード切替えレバー
５９  フィルタ
６３  連動板
８５  鏡胴
【図１】
0003609118.tif 000002
【図２】
0003609118.tif 000003
【図３】
0003609118.tif 000004
【図４】
0003609118.tif 000005
【図５】
0003609118.tif 000006
【図６】
0003609118.tif 000007
【図７】
0003609118.tif 000008
【図８】
0003609118.tif 000009
【図９】
0003609118.tif 000010
【図１０】
0003609118.tif 000011
【図１１】
0003609118.tif 000012
【図１２】
0003609118.tif 000013
【図１３】
0003609118.tif 000014
【図１４】
0003609118.tif 000015
【図１５】
0003609118.tif 000016
【図１６】
0003609118.tif 000017
【図１７】
0003609118.tif 000018
【図１８】
0003609118.tif 000019
【図１９】
0003609118.tif 000020
【図２０】
0003609118.tif 000021
【図２１】
0003609118.tif 000022
【図２２】
0003609118.tif 000023
【図２３】
0003609118.tif 000024
【図２４】
0003609118.tif 000025